(57)【要約】【課題】  修正指示の書き込まれた印刷製版用原稿の画像データの送信を受けて、これを画面表示することで、作業者が紙出力することなく、これを編集することを可能にし、また、当該画像データの送信に際して、必要最小限の解像度にてこれを行うことで、転送量を低減してネットワークコストを抑えることができる画像出力システム、画像出力装置、画像出力方法、プログラム及びそのプログラムを記憶した記憶媒体を提供する。【解決手段】  解像度指定手段３ｂにより、４６．４ｄｐｉから３２５．１ｄｐｉまでの範囲内で、クライアント端末１のモニタ表示手段１ｂの表示画面上での視認性を鑑みた必要最小限の解像度が指定されると、スキャナー手段３ａは、その解像度で「赤入れ」原稿Ｃを読み取る。その画像データは保存手段３ｃに保存され、通信手段３ｅは、その画像データをクライアント端末１に送信する。クライアント端末１では、モニタ表示手段１ｂがその画像データに基づく画像を表示する。【選択図】      図３
2005079771.tif 000002
【特許請求の範囲】
【請求項１】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムであって、
前記画像出力装置は、
修正指示が書き込まれた前記印刷製版用原稿を、４６．４ｄｐｉから３２５．１ｄｐｉまでの範囲内で指定された解像度にて光電的に読み取り、デジタル画像データに変換するスキャナー手段と、
前記変換されたデジタル画像データを保存する保存手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、を備えたことを特徴とする画像出力システム。
【請求項２】
前記修正指示が書き込まれた前記印刷製版用原稿を前記スキャナー手段により読み取る際の解像度を指定するための読取解像度指定手段をさらに備えたことを特徴とする請求項１記載の画像出力システム。
【請求項３】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムであって、
前記画像出力装置は、
修正指示が書き込まれた前記印刷製版用原稿を光電的に読み取り、デジタル画像データに変換するスキャナー手段と、
前記変換されたデジタル画像データを保存する保存手段と、
前記保存されたデジタル画像データの解像度を４６．４ｄｐｉから３２５．１ｄｐｉまでの範囲内で変更する解像度変更手段と、
前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信手段と、を備えたことを特徴とする画像出力システム。
【請求項４】
前記保存されたデジタル画像データの解像度を変更する際の解像度を指定するための変更解像度指定手段をさらに備え、
前記解像度変更手段は、前記変更解像度指定手段により指定された解像度を受けて、前記保存されたデジタル画像データの解像度を４６．４ｄｐｉから３２５．１ｄｐｉまでの範囲内で変更することを特徴とする請求項３記載の画像出力システム。
【請求項５】
前記印刷製版用原稿の大きさ及び前記表示手段の解像度を取得する取得手段をさらに備え、
前記解像度変更手段は、前記取得された印刷製版用原稿の大きさ及び前記表示手段の解像度を受けて、前記保存されたデジタル画像データの解像度を当該印刷製版用原稿の大きさ及び前記表示手段の解像度に応じて４６．４ｄｐｉから３２５．１ｄｐｉまでの範囲内で変更することを特徴とする請求項３記載の画像出力システム。
【請求項６】
前記印刷製版用原稿の大きさは、葉書サイズからＡ３サイズまでの範囲内にあり、前記修正指示が書き込まれた印刷製版用原稿の画像を表示する前記表示手段の解像度は、７６８×１０２４ｄｏｔから１０２４×１２８０ｄｏｔまでの範囲内にあることを特徴とする請求項１乃至請求項５の何れか一項に記載の画像出力システム。
【請求項７】
前記画像出力装置は、カラーレーザープリンタであることを特徴とする請求項１乃至請求項６の何れか一項に記載の画像出力システム。
【請求項８】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、
修正指示が書き込まれた前記印刷製版用原稿を、４６．４ｄｐｉから３２５．１ｄｐｉまでの範囲内で指定された解像度にて光電的に読み取り、デジタル画像データに変換するスキャナー手段と、
前記変換されたデジタル画像データを保存する保存手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、を備えたことを特徴とする画像出力装置。
【請求項９】
前記修正指示が書き込まれた前記印刷製版用原稿を前記スキャナー手段により読み取る際の解像度を指定するための読取解像度指定手段をさらに備えたことを特徴とする請求項８記載の画像出力装置。
【請求項１０】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、
修正指示が書き込まれた前記印刷製版用原稿を光電的に読み取り、デジタル画像データに変換するスキャナー手段と、
前記変換されたデジタル画像データを保存する保存手段と、
前記保存されたデジタル画像データの解像度を４６．４ｄｐｉから３２５．１ｄｐｉまでの範囲内で変更する解像度変更手段と、
前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信手段と、を備えたことを特徴とする画像出力装置。
【請求項１１】
前記保存されたデジタル画像データの解像度を変更する際の解像度を指定するための変更解像度指定手段をさらに備え、
前記解像度変更手段は、前記変更解像度指定手段により指定された解像度を受けて、前記保存されたデジタル画像データの解像度を４６．４ｄｐｉから３２５．１ｄｐｉまでの範囲内で変更することを特徴とする請求項１０記載の画像出力装置。
【請求項１２】
前記印刷製版用原稿の大きさ及び前記表示手段の解像度を取得する取得手段をさらに備え、
前記解像度変更手段は、前記取得された印刷製版用原稿の大きさ及び前記表示手段の解像度を受けて、前記保存されたデジタル画像データの解像度を当該印刷製版用原稿の大きさ及び前記表示手段の解像度に応じて４６．４ｄｐｉから３２５．１ｄｐｉまでの範囲内で変更することを特徴とする請求項１０記載の画像出力装置。
【請求項１３】
前記印刷製版用原稿の大きさは、葉書サイズからＡ３サイズまでの範囲内にあり、前記修正指示が書き込まれた印刷製版用原稿の画像を表示する前記表示手段の解像度は、７６８×１０２４ｄｏｔから１０２４×１２８０ｄｏｔまでの範囲内にあることを特徴とする請求項８乃至請求項１２の何れか一項に記載の画像出力装置。
【請求項１４】
前記画像出力装置は、カラーレーザープリンタであることを特徴とする請求項８乃至請求項１３の何れか一項に記載の画像出力装置。
【請求項１５】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムにおいて行われる画像出力方法であって、
前記画像出力装置において、
修正指示が書き込まれた前記印刷製版用原稿を、４６．４ｄｐｉから３２５．１ｄｐｉまでの範囲内で指定された解像度にて光電的に読み取り、デジタル画像データに変換するスキャナーステップと、
前記変換されたデジタル画像データを保存する保存ステップと、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信ステップと、を含むことを特徴とする画像出力方法。
【請求項１６】
前記修正指示が書き込まれた前記印刷製版用原稿を前記スキャナー手段により読み取る際の解像度が指定される読取解像度指定ステップをさらに含むことを特徴とする請求項１５記載の画像出力方法。
【請求項１７】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムにおいて行われる画像出力方法であって、
前記画像出力装置において、
修正指示が書き込まれた前記印刷製版用原稿を光電的に読み取り、デジタル画像データに変換するスキャナーステップと、
前記変換されたデジタル画像データを保存する保存ステップと、
前記保存されたデジタル画像データの解像度を４６．４ｄｐｉから３２５．１ｄｐｉまでの範囲内で変更する解像度変更ステップと、
前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信ステップと、を含むことを特徴とする画像出力方法。
【請求項１８】
前記保存されたデジタル画像データの解像度を変更する際の解像度が指定される変更解像度指定ステップをさらに含み、
前記解像度変更ステップでは、前記指定された解像度を受けて、前記保存されたデジタル画像データの解像度を４６．４ｄｐｉから３２５．１ｄｐｉまでの範囲内で変更することを特徴とする請求項１７記載の画像出力方法。
【請求項１９】
前記印刷製版用原稿の大きさ及び前記表示手段の解像度を取得する取得ステップをさらに含み、
前記解像度変更ステップでは、前記取得された印刷製版用原稿の大きさ及び前記表示手段の解像度を受けて、前記保存されたデジタル画像データの解像度を当該印刷製版用原稿の大きさ及び前記表示手段の解像度に応じて４６．４ｄｐｉから３２５．１ｄｐｉまでの範囲内で変更することを特徴とする請求項１７記載の画像出力方法。
【請求項２０】
前記印刷製版用原稿の大きさは、葉書サイズからＡ３サイズまでの範囲内にあり、前記修正指示が書き込まれた印刷製版用原稿の画像を表示する前記表示手段の解像度は、７６８×１０２４ｄｏｔから１０２４×１２８０ｄｏｔまでの範囲内にあることを特徴とする請求項１５乃至請求項１９の何れか一項に記載の画像出力方法。
【請求項２１】
前記画像出力装置は、カラーレーザープリンタであることを特徴とする請求項１５乃至請求項２０の何れか一項に記載の画像出力方法。
【請求項２２】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置のコンピュータにより実行されるプログラムであって、
修正指示が書き込まれた前記印刷製版用原稿を、４６．４ｄｐｉから３２５．１ｄｐｉまでの範囲内で指定された解像度にて光電的に読み取り、デジタル画像データに変換するスキャナー処理ステップと、
前記変換されたデジタル画像データを保存する保存処理ステップと、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信処理ステップと、を含むことを特徴とするプログラム。
【請求項２３】
前記修正指示が書き込まれた前記印刷製版用原稿を前記スキャナー手段により読み取る際の解像度を指定するための読取解像度指定画面を表示する読取解像度指定画面表示処理ステップをさらに含むことを特徴とする請求項２２記載のプログラム。
【請求項２４】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置のコンピュータにより実行されるプログラムであって、
修正指示が書き込まれた前記印刷製版用原稿を光電的に読み取り、デジタル画像データに変換するスキャナー処理ステップと、
前記変換されたデジタル画像データを保存する保存処理ステップと、
前記保存されたデジタル画像データの解像度を４６．４ｄｐｉから３２５．１ｄｐｉまでの範囲内で変更する解像度変更処理ステップと、
前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信処理ステップと、を実行させることを特徴とするプログラム。
【請求項２５】
前記保存されたデジタル画像データの解像度を変更する際の解像度を指定するための変更解像度指定画面を表示する変更解像度指定画面表示処理ステップをさらに含み、
前記解像度変更処理ステップでは、前記変更解像度指定画面において指定された解像度を受けて、前記保存されたデジタル画像データの解像度を４６．４ｄｐｉから３２５．１ｄｐｉまでの範囲内で変更することを特徴とする請求項２４記載のプログラム。
【請求項２６】
前記印刷製版用原稿の大きさ及び前記表示手段の解像度を取得する取得処理ステップをさらに含み、
前記解像度変更処理ステップでは、前記取得された印刷製版用原稿の大きさ及び前記表示手段の解像度を受けて、前記保存されたデジタル画像データの解像度を当該印刷製版用原稿の大きさ及び前記表示手段の解像度に応じて４６．４ｄｐｉから３２５．１ｄｐｉまでの範囲内で変更することを特徴とする請求項２４記載のプログラム。
【請求項２７】
前記印刷製版用原稿の大きさは、葉書サイズからＡ３サイズまでの範囲内にあり、前記修正指示が書き込まれた印刷製版用原稿の画像を表示する前記表示手段の解像度は、７６８×１０２４ｄｏｔから１０２４×１２８０ｄｏｔまでの範囲内にあることを特徴とする請求項２２乃至請求項２６の何れか一項に記載のプログラム。
【請求項２８】
前記画像出力装置は、カラーレーザープリンタであることを特徴とする請求項２２乃至請求項２７の何れか一項に記載のプログラム。
【請求項２９】
請求項２２乃至請求項２８の何れか一項に記載のプログラムを前記画像出力装置のコンピュータにより読み出し可能に記憶したことを特徴とする記憶媒体。
【発明の詳細な説明】
【技術分野】
【０００１】
本発明は、印刷製版用原稿に基づくデジタル画像データを送信する画像編集端末と、これを受けて、当該デジタル画像データに基づく画像である前記印刷製版用原稿を出力する画像出力装置との間において、前記画像出力装置により修正指示の書き込まれた印刷製版用原稿を読み取り、その画像データを送信して、これを受けた前記画像編集端末において、当該画像データに基づく画像として前記修正指示の書き込まれた印刷製版用原稿を表示し、当該印刷製版用原稿を当該印刷製版用原稿に書き込まれた修正指示に従って修正する編集作業を行う画像出力システム、画像出力装置、画像出力方法、プログラム及びそのプログラムを記憶した記憶媒体に関する。
【背景技術】
【０００２】
近年では、ＤＴＰ（Ｄｅｓｋ  Ｔｏｐ  Ｐｕｂｌｉｓｈｉｎｇ）等の普及により、スキャナーから入力した画像をコンピュータのソフトウェア上で画像編集し、ページ面付けする作業が一般化し、フルディジタルでの編集も珍しくなくなってきている。
【０００３】
このような工程では、さらなる効率化を目指して、フィルムにページ面付け済みの画像データを直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
この場合、校正確認の為だけに一旦フィルム出力や印刷版出力を行い、印刷校正や、その他の校正材料による校正を行うことは、フィルム、印刷版のムダや余計な作業が多くなる問題がある。
【０００５】
そこで、このようなコンピュータによるフルディジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）と呼ばれる直接カラー画像出力を行うシステムが求められている。
【０００６】
このようなＤＤＣＰは、ページ面付け済みの画像データをイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、これを再現する色見本であるＤＣＰ（Ｄｉｇｉｔａｌ  Ｃｏｌｏｒ  Ｐｒｏｏｆ）を作成し、その絵柄、色調、文章文字等の確認を行うことを目的とするものである。
【０００７】
また、このようなＤＣＰ作成システムでは、ＤＣＰを作成する前に、カラーレーザープリンタにより単ページの画像データ（ページ面付けする前の画像データ）の小サイズ出力を行い、その出力物であるカラーカンプの絵柄、色調、文章文字等の確認を行うことが行われる。
【０００８】
即ち、印刷製版工程においては、最終的な印刷作業を行う前に、出力対象の絵柄、色調、文章文字等の確認を行うカラーカンプやＤＣＰを作成し、その色校正を行うことが一般的である。
【０００９】
ところで、最近では、カラーレーザープリンタの性能向上に伴い、安価で高速に高品位なカラー出力を行うことが可能になってきたことから、ＤＣＰを作成する用途に、このようなカラーレーザープリンタを使用したいという要求が高まってきている。但し、上述したように、ＤＣＰ作成用の画像データは、大サイズの画像を出力するものであることから、カラーレーザープリンタにおいては、これを分割して出力することになる。
【００１０】
このようなカラーレーザープリンタとしては、特開平５−４８８５７号公報に開示される電子写真方式のカラーレーザープリンタや、スキャナ・コピア・ファクシミリ機能を併せ持つ複合機等を挙げることができる(例えば、特許文献１参照)。
【００１１】
ところで、このカラーレーザープリンタが設置される場所、即ち、当該カラーレーザープリンタによりＤＣＰが出力される場所は、印刷発注主やデザイン製作社の所在地であり、また、当該カラーレーザープリンタに編集した画像データを送信してくるクライアント端末が設置される場所、即ち、画像編集や印刷作業を行う場所は、印刷会社の所在地であり、これらは距離的に離れていることが多い。
【００１２】
そこで、従来においては、印刷会社にて作成したカラープルーフを発注主やデザイン製作社に郵送して、発注主やデザイン製作社側で修正が必要な箇所を「赤入れ（修正箇所をマジックペンなどで書き込み、その指示を行うこと）」して、これを印刷会社に返送するといったサイクルが複数回繰り返されていた。
【００１３】
しかしながら、これには郵送料金や日数等がかかる問題があるため、最近では、発注主やデザイン製作社側に設置されたカラーレーザープリンタに対して、印刷会社側のシステムから画像データをネットワーク経由で送信して、その画像出力を行う「リモート校正」が試みられるようになってきた。さらに、発注主やデザイン製作社側では、画像出力結果に対して「赤入れ」を行ったものを、例えばカラーレーザープリンタに備えられたスキャナーで読み取り、デジタル化して印刷会社にネットワーク経由で送信（電送・開示）するケースが増えてきている。
【００１４】
例えば、特開２００３−１４３３９４号公報に記載のリモートカラープルーフシステムおいては、この「赤入れ」スキャン画像において、「赤入れ」部分の画像データ（以下、「赤入れ」情報と称する）とオリジナルの画像データとを別の階層に分けてハンドリングするものが記載されている。これは、印刷会社側のシステムにおいて「赤入れ」情報をオリジナルの画像データ上で再構成し、紙出力することを意図したものである（例えば、特許文献２参照）。
【００１５】
【特許文献１】特開平５−４８８５７号公報（段落〔００１１〕‐〔００７０〕、第１図乃至第１３図）
【特許文献２】特開２００３−１４３３９４号公報（段落〔００１５〕‐〔００６４〕、第１図乃至第７図）
【発明の開示】
【発明が解決しようとする課題】
【００１６】
しかしながら、このようなリモートカラープルーフシステムにおいては、上述の階層を分割する処理やそれらの再構成等を行うための複雑な処理手段が必要になり、システムのコストアップが招かれることになる。
【００１７】
また一方で、「赤入れ」の本来の目的は、修正指示の伝達であることから、必ずしも紙出力を行う必要はなく、モニタ上で確認することのみでも十分な現状がある。また、この際、「赤入れ」情報とオリジナルの画像データとは別の階層に分ける必要もなく、「赤入れ」スキャン結果をそのまま開示・送信すれば良い。また、この際、モニタ表示を意図する場合には、スキャン画像の解像度を低くすることで、ネットワーク上の転送量を低減させることもできる。
【００１８】
本発明は、上記事情を鑑みて成されたものであり、その目的とするところは、印刷製版用原稿に基づくデジタル画像データを送信する画像編集端末と、これを受けて、当該デジタル画像データに基づく画像である前記印刷製版用原稿を出力する画像出力装置との間において、前記画像出力装置により修正指示の書き込まれた印刷製版用原稿を読み取り、その画像データを送信して、これを受けた前記画像編集端末において、当該画像データに基づく画像である前記修正指示の書き込まれた印刷製版用原稿を表示することで、作業者がその修正指示の書き込まれた印刷製版用原稿を紙出力することなく、これを修正する編集作業を行うことを可能にすると共に、当該印刷製版用原稿の画像データの送信に際して、表示画面上での視認性を鑑みた必要最小限の解像度にてこれを行うことで、転送量を低減してネットワークコストを抑えることを可能にする画像出力システム、画像出力装置、画像出力方法、プログラム及びそのプログラムを記憶した記憶媒体を提供することにある。
【課題を解決するための手段】
【００１９】
上記課題を解決するために、請求項１記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記送信されたデジタル画像データを受けて、当該デジタル画像データに基づく画像である前記印刷製版用原稿を出力する画像出力装置と、を含み構成される画像出力システムであって、前記画像出力装置は、修正指示が書き込まれた前記印刷製版用原稿を、４６．４ｄｐｉから３２５．１ｄｐｉまでの範囲内で指定された解像度にて光電的に読み取り、デジタル画像データに変換するスキャナー手段と、前記変換されたデジタル画像データを保存する保存手段と、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、を備えたことを特徴とする。
【００２０】
上記課題を解決するために、請求項３記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記送信されたデジタル画像データを受けて、当該デジタル画像データに基づく画像である前記印刷製版用原稿を出力する画像出力装置と、を含み構成される画像出力システムであって、前記画像出力装置は、修正指示が書き込まれた前記印刷製版用原稿を光電的に読み取り、デジタル画像データに変換するスキャナー手段と、前記変換されたデジタル画像データを保存する保存手段と、前記保存されたデジタル画像データの解像度を４６．４ｄｐｉから３２５．１ｄｐｉまでの範囲内で変更する解像度変更手段と、前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信手段と、を備えたことを特徴とする。
【００２１】
上記課題を解決するために、請求項８記載の発明は、印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、修正指示が書き込まれた前記印刷製版用原稿を、４６．４ｄｐｉから３２５．１ｄｐｉまでの範囲内で指定された解像度にて光電的に読み取り、デジタル画像データに変換するスキャナー手段と、前記変換されたデジタル画像データを保存する保存手段と、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、を備えたことを特徴とする。
【００２２】
上記課題を解決するために、請求項１０記載の発明は、印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、修正指示が書き込まれた前記印刷製版用原稿を光電的に読み取り、デジタル画像データに変換するスキャナー手段と、前記変換されたデジタル画像データを保存する保存手段と、前記保存されたデジタル画像データの解像度を４６．４ｄｐｉから３２５．１ｄｐｉまでの範囲内で変更する解像度変更手段と、前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信手段と、を備えたことを特徴とする。
【００２３】
上記課題を解決するために、請求項１５記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記送信されたデジタル画像データを受けて、当該デジタル画像データに基づく画像である前記印刷製版用原稿を出力する画像出力装置と、を含み構成される画像出力システムにおいて行われる画像出力方法であって、前記画像出力装置において、修正指示が書き込まれた前記印刷製版用原稿を、４６．４ｄｐｉから３２５．１ｄｐｉまでの範囲内で指定された解像度にて光電的に読み取り、デジタル画像データに変換するスキャナーステップと、前記変換されたデジタル画像データを保存する保存ステップと、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信ステップと、を含むことを特徴とする。
【００２４】
上記課題を解決するために、請求項１７記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記送信されたデジタル画像データを受けて、当該デジタル画像データに基づく画像である前記印刷製版用原稿を出力する画像出力装置と、を含み構成される画像出力システムにおいて行われる画像出力方法であって、前記画像出力装置において、修正指示が書き込まれた前記印刷製版用原稿を光電的に読み取り、デジタル画像データに変換するスキャナーステップと、前記変換されたデジタル画像データを保存する保存ステップと、前記保存されたデジタル画像データの解像度を４６．４ｄｐｉから３２５．１ｄｐｉまでの範囲内で変更する解像度変更ステップと、前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信ステップと、を含むことを特徴とする。
【００２５】
上記課題を解決するために、請求項２２記載の発明は、印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置のコンピュータにより実行されるプログラムであって、修正指示が書き込まれた前記印刷製版用原稿を、４６．４ｄｐｉから３２５．１ｄｐｉまでの範囲内で指定された解像度にて光電的に読み取り、デジタル画像データに変換するスキャナー処理ステップと、前記変換されたデジタル画像データを保存する保存処理ステップと、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信処理ステップと、を含むことを特徴とする。
【００２６】
上記課題を解決するために、請求項２４記載の発明は、印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置のコンピュータにより実行されるプログラムであって、修正指示が書き込まれた前記印刷製版用原稿を光電的に読み取り、デジタル画像データに変換するスキャナー処理ステップと、前記変換されたデジタル画像データを保存する保存処理ステップと、前記保存されたデジタル画像データの解像度を４６．４ｄｐｉから３２５．１ｄｐｉまでの範囲内で変更する解像度変更処理ステップと、前記保存されたデジタル画像データに基づく画像である前記印刷製版用原稿を当該印刷製版用原稿に書き込まれた修正指示に従って編集するべく、前記変更されたデジタル画像データをネットワークを介して前記画像編集端末へ送信する送信処理ステップと、を実行させることを特徴とする。
【００２７】
上記課題を解決するために、請求項２９記載の発明は、請求項２２乃至請求項２８の何れか一項に記載のプログラムを前記画像出力装置のコンピュータにより読み出し可能に記憶したことを特徴とする。
【発明の効果】
【００２８】
本発明に係る画像出力システム、画像出力装置、画像出力方法、プログラム及びそのプログラムを記憶した記憶媒体によれば、画像出力装置により修正指示の書き込まれた印刷製版用原稿を読み取り、その画像データを送信して、これを受けた画像編集端末において、当該画像データに基づく画像である前記修正指示の書き込まれた印刷製版用原稿を表示することができるので、作業者は、その修正指示の書き込まれた印刷製版用原稿を紙出力することなく、これを修正する編集作業を行うことができると共に、当該印刷製版用原稿の画像データの送信に際して、表示画面上での視認性を鑑みた必要最小限の解像度にてこれを行うことができるので、転送量を低減してネットワークコストを抑えることができる。
【００２９】
また、本発明に係る画像出力システム、画像出力装置、画像出力方法、プログラム及びそのプログラムを記憶した記憶媒体によれば、画像出力装置を印刷発注主やデザイン製作社の所在地に設置して、画像編集端末を印刷会社に設置することで、従来、郵送により行われていた印刷製版用原稿のやりとりをネットワークを介して行うことができるので、当該印刷製版用原稿のやりとりに掛かるコストや時間を低減することができる。
【発明を実施するための最良の形態】
【００３０】
以下、本発明に係る画像出力システム、画像出力装置、画像出力方法、プログラム及びそのプログラムを記憶した記憶媒体の一実施形態について、図面を参照しながら詳細に説明する。
【００３１】
［画像出力システム］
まず、本実施形態における画像出力システムのシステム構成及び概略動作について、図１を参照しつつ、図２に示すフローチャートの流れに沿って説明する。
【００３２】
＜システム構成＞
図１に示すように、当該画像出力システムは、画像データの画像編集、面付け作業を行うための画像編集端末であるクライアント端末１と、このクライアント端末１からネットワーク（インターネット等）を介して送信された、例えばＰｏｓｔＳｃｒｉｐｔで記述されたカンプ用画像データ（ページ面付けする前の単ページの画像データ）や、後述するＣＴＰ用ＲＩＰ４から送信された最終出力用画像データ（カンプ用画像データを複数面付けした画像データ）を出力情報、具体的には、これら画像データに基づく画像を出力する記録用紙のサイズ及び種類を指定する情報と共に後述する画像出力装置であるカラーレーザープリンタ３に送信する制御装置２と、この制御装置２から送信されたカンプ用画像データに基づく画像や、後述するＣＴＰ用ＲＩＰ４から送信された最終出力用画像データ（カンプ用画像データを複数面付けした画像データ）に基づく画像を出力情報に従って該当するサイズ及び種類の記録用紙に出力（画像の大きさによっては、これを分割出力）するカラーレーザープリンタ３と、クライアント端末１から送信された、例えばＰｏｓｔＳｃｒｉｐｔで記述された最終出力用画像データにＲＩＰ処理（ＣＴＰ６やＤＣＰ作成装置７の出力解像度にあわせてビットマップデータに変換する処理）を行った後、これを制御装置２やＣＴＰ６、高精度なＤＣＰが必要な場合には、ＤＣＰ制御装置５に送信するＣＴＰ用ＲＩＰ４と、このＣＴＰ用ＲＩＰ４からＤＣＰ制御装置５を介して送信された最終出力用画像データに基づく画像をＤＣＰとして出力するＤＣＰ作成装置７と、このＣＴＰ用ＲＩＰ４から送信された最終出力用画像データに基づく画像を出力するＣＴＰ６とから構成されている。
【００３３】
尚、図1に示すように、クライアント端末１、ＣＴＰ用ＲＩＰ４、ＣＴＰ６、ＤＣＰ制御装置５及びＤＣＰ作成装置７は、印刷会社に設置され、制御装置２及びカラーレーザープリンタ３は、印刷発注主やデザイン製作業社の所在地に設置される。
【００３４】
また、クライアント端末１、制御装置２、ＣＴＰ用ＲＩＰ４及びＤＣＰ制御装置５は、各々、コンピュータ端末として動作するものであって、コンピュータ本体、キーボード、表示手段等を備え、上述した画像データの画像編集、ページ面付け等の作業を行うための所定のプログラムが組み込まれている。さらに、クライアント端末１は、イメージスキャナ等の必要な画像入力機器を備えている。
【００３５】
また、カラーレーザープリンタ３は、電子写真方式の複写手段や、イメージスキャナ等のスキャン手段を備える複合機（＝マルチファンクションプリンタ）であり、この他、複数のサイズや種類の記録用紙を収納する複数の給紙カセットと、この給紙カセットの各々に収納される記録用紙のサイズ及び種類を当該装置３に内蔵される用紙情報記憶手段に記憶させる入力操作を行う入力手段及びその際に入力画面を表示する表示手段（例えば、タッチパネル等）を備え、上述したように、制御装置２から送信される出力情報に従って、該当するサイズ及び種類の記録用紙を収納する給紙カセットを選択して、当該選択された給紙カセットより給紙する記録用紙にカンプ用画像データに基づく画像や最終出力用画像データに基づく画像を出力（画像の大きさによっては、これを分割出力）する。
【００３６】
＜概略動作＞
図２に示すように、このような構成において、クライアント端末１において画像編集された画像データは、制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙にカラーカンプを出力する（Ｓ０１）。尚、此処に言う“カラーカンプ”とは、色付きの仕上がり見本のことであり、ページ面付けされる写真やイラストのダミーとして最終的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナーにより文字校正等の作業結果確認が行われる。
【００３７】
ここで、印刷発注主やデザイナーにより、問題となる部分、即ち、修正が必要な箇所に対して修正指示、具体的には「赤入れ（マジックペンなどでの書き込み）」が行われ、さらに、その「赤入れ」したカラーカンプをカラーレーザープリンタ３のイメージスキャナにより読み取られる。これを受けたカラーレーザープリンタ３においては、これをデジタル画像データに変換して、そのデジタル画像データを、制御装置２を介してクライアント端末１に送信する。尚、このデジタル画像データの送信の詳細については、後述する[カラーレーザープリンタ]の処で説明する。
【００３８】
これを受けたクライアント端末１では、表示手段にそのデジタル画像データに基づく画像、即ち、「赤入れ」された画像を表示する。印刷会社の作業者は、その「赤入れ」された修正指示に従って、当該クライアント端末１において画像編集を行う。そして、編集された画像データは、再度、制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙に、再度、カラーカンプを出力する。
【００３９】
このような作業が複数回繰り返された上で、印刷発注主やデザイナーにより問題がないことが確認された場合には（Ｓ０２、Ｙｅｓ）、印刷会社の作業者によりクライアント端末１において面付け作業が行われる（Ｓ０３）。尚、此処に言う“面付け作業”とは、製版フィルムを最終的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００４０】
そして、印刷会社の作業者によりクライアント端末１からＣＴＰ用ＲＩＰ４へ面付け作業が行われた最終出力用の画像データが送信されると、これを受けたＣＴＰ用ＲＩＰ４は、その最終出力用の画像データに対してＲＩＰ処理を施す。具体的には、ＤＣＰ作成装置７やＣＴＰ６の出力解像度にあわせてビットマップデータに変換することでＲＩＰ処理済み画像データを作成する（Ｓ０４）。このＲＩＰ処理済み画像データは、ＣＴＰ用ＲＩＰ４から制御装置２へ送信され、これを受けた制御装置２は、当該画像データと共に出力情報をカラーレーザープリンタ３へ送信し、これを受けたカラーレーザープリンタ３は、出力情報に従って、該当するサイズ及び種類の記録用紙にその最終出力用の画像データに基づく画像を出力（画像の大きさによっては、これを分割出力）する（Ｓ０５）。ここで、分割出力が行われた場合には、印刷発注主やデザイナーは、それらの出力物を貼り合せることで、最終的にＤＣＰを作成する。また、高精度のＤＣＰが必要になる場合には、ＣＴＰ用ＲＩＰ４は、ＲＩＰ処理済み画像データをＤＣＰ制御装置７へ送信して、これを受けたＤＣＰ制御装置７は、ＤＣＰ作成装置８の出力制御を行い、ＤＣＰ作成装置８がその最終出力用の画像データに基づく画像を出力する（Ｓ０５）。即ち、この場合には、面付けされた画像が1枚のＤＣＰとして出力される。尚、カラーレーザープリンタ３において、最終出力用の画像データに基づく画像が出力される記録用紙は、出力情報によって、印刷機により印刷される用紙と同様、若しくは、似通った種類のものが指定されることとする。
【００４１】
そして、ＤＣＰの色校正が行われ、印刷発注主やデザイナーにより問題がないことが確認された場合には（Ｓ０６、Ｙｅｓ）、印刷発注主やデザイナーは、ＣＴＰ用ＲＩＰ４からＲＩＰ処理済みデータ（ＤＣＰを出力する際に用いたデータと同一のデータ）をＣＴＰ６に送信して、これを受けたＣＴＰ６は、印刷版に直接画像記録を行う（Ｓ０７）。さらに、印刷会社の作業者は、その印刷版により印刷を行い、その印刷物である面付けされた画像の色校正が行われ、ここで、問題がないことが確認された場合には（Ｓ０８、Ｙｅｓ）、印刷機により最終印刷物を印刷する工程に移行する（Ｓ０９）。
【００４２】
［カラーレーザープリンタ］
次に、当該画像出力システムを構成する画像出力装置であるカラーレーザープリンタ３の詳細構成及び詳細動作について、図３及び図５を参照しつつ、図４に示すフローチャートの流れに沿って説明する。尚、以下においては、クライアント端末１から受信した画像データに基づく画像を当該カラーレーザープリンタ３においてカラーカンプとして出力して、作業者がその校正を行い、問題がないことが確認された場合にクライアント端末１において面付け作業を行うまでの一連の処理の流れについて、本発明の特徴部分を抽出して説明する。
【００４３】
＜詳細構成＞
図３に示すように、カラーレーザープリンタ３は、「赤入れ」された印刷製版用原稿Ｃを読み取り、デジタル画像データに変換するスキャナー手段３ａと、このスキャナー手段３ａにより印刷製版用原稿Ｃを読み取る際の解像度をＧＵＩ（Ｇｒａｐｈｉｃａｌ  Ｕｓｅｒ  Ｉｎｔｅｒｆａｃｅ）、具体的には、指定画面を介して作業者に指定させるための解像度指定手段３ｂと、このスキャナー手段３ａにより変換されたデジタル画像データを保存する保存手段３ｃと、この保存手段３ｃに保存されたデジタル画像データの解像度をＧＵＩ、具体的には、変更画面を介して作業者に変更させるための解像度変更手段３ｄと、この解像度変更手段３ｄにより解像度が変更されたデジタル画像データをクライアント端末１へネットワークＮを介して送信する通信手段３ｅと、を含み構成されている。
【００４４】
一方、クライアント端末１は、カラーレーザープリンタ３から送信されたデジタル画像データを受信する通信手段１ａと、この通信手段１ａにより受信されたデジタル画像データに基づく画像を表示する表示手段１ｂと、を含み構成されている。
【００４５】
＜詳細動作＞
このような構成において、印刷発注主やデザイナーは、図４に示すように、カラーレーザープリンタ３の解像度指定手段３ｂにおいて、スキャナー手段３ａにより「赤入れ」された印刷製版用原稿Ｃを読み取る際の解像度（以下、スキャン解像度と称する）を指定する。この際、解像度指定手段３ｂは、表示手段にこのスキャン解像度を指定するための指定画面を表示して（読取解像度指定画面表示ステップ）、印刷発注主やデザイナーは、当該指定画面において操作手段による操作によりスキャン解像度を指定する。これによりスキャン解像度が取得される（読取解像度指定ステップ；Ｓ１０）。尚、当該指定画面においては、後述するように、保存手段３ｃに保存されるデジタル画像データの解像度を、クライアント端末１の表示手段１ｂの表示画面上での視認性を鑑みた必要最小限の解像度に規定するべく、当該解像度を４６．４ｄｐｉから３２５．１ｄｐｉまでの範囲内で指定するように、当該範囲を明示する、或いは、当該範囲内でのみ解像度の指定を行うことができるようにするといった表示を行う。
【００４６】
印刷発注主やデザイナーは、さらに、スキャナー手段３ａにより「赤入れ」された印刷製版用原稿Ｃを読み取る作業を行う（Ｓ１１）。これにより、「赤入れ」された印刷製版用原稿Ｃがデジタル画像データに変換される（スキャナーステップ）。変換されたデジタル画像データは、保存手段３ｃに保存される（保存ステップ；Ｓ１２）。
【００４７】
印刷発注主やデザイナーは、さらに、この保存手段３ｃに保存されたデジタル画像データの解像度を、上述したように、クライアント端末１の表示手段１ｂの表示画面上での視認性を鑑みた必要最小限の解像度に変更するために（Ｓ１３、Ｙｅｓ）、必要に応じて、解像度変更手段３ｄにより当該デジタル画像データの解像度を変更する。この際、解像度変更手段３ｄは、表示手段にこのデジタル画像データの解像度を変更する際の解像度を指定するための指定画面を表示して（変更解像度指定画面表示ステップ）、印刷発注主やデザイナーは、当該指定画面において操作手段による操作により変更後のデジタル画像データの解像度を４６．４ｄｐｉから３２５．１ｄｐｉまでの範囲内で、且つ、クライアント端末１の表示手段１ｂの表示画面上における視認性を鑑みた必要最小限の値に指定する（変更解像度指定ステップ）。この際、指定画面においては、上述の範囲を明示する、或いは、上述の範囲内でのみ解像度の指定を行うことができるような表示を行う。これを受けて解像度変更手段３ｄは、保存手段３ｃに保存されたデジタル画像データの解像度を指定された解像度に変更する（解像度変更ステップ；Ｓ１４）。
【００４８】
ここで、スキャナー手段３ａにより「赤入れ」された印刷製版用原稿Ｃを読み取る際の解像度、或いは、保存手段３ｃに保存されたデジタル画像データの解像度を４６．４ｄｐｉから３２５．１ｄｐｉまでの範囲内で指定、変更することの根拠について、図５を参照しながら説明する。
【００４９】
例えば、スキャナー手段３ａにより６００ｄｐｉでＡ３サイズ（２９７×４２０ｍｍ）の原稿をスキャンした場合、画像データ（ＲＧＢ）のサイズは２００ＭＢ強となるが、１００ｄｐｉでは、約５．８ＭＢで済む。このようなことを鑑みるに、本用途（モニタ表示手段１ｂ）における最適な解像度範囲は、下記に掲げる前提から決定することができる。
【００５０】
前提１；クライアント端末１のモニタ表示手段１ｂにおける１ｄｏｔに画像データの１ｄｏｔを割り当てれば、モニタ表示上での視認に何ら問題はない。
前提２；カラーレーザープリンタ３においてスキャンされる原稿は、葉書サイズ（１４８×１００ｍｍ）からＡ３サイズの範囲（途中、Ａ４、Ｂ４等を含む）である。
前提３；モニタ表示手段１ｂとして使用されるモニタの解像度は、最小で７６８×１０２４ｄｏｔ、最大でも１０２４×１２８０ｄｏｔである。
【００５１】
このような前提下においては、例えば、７６８×１０２４ｄｏｔの解像度を有するモニタ表示手段３ａにＡ３縦の原稿を表示する場合（縦４２０ｍｍの原稿を７６８ｄｏｔで表示する場合）に画像データの解像度は最小、具体的には、７６８／４２０ｄｐｍｍ＝１．８２８ｄｐｍｍ＝４６．４ｄｐｉとなる。一方、１０２４×１２８０ｄｏｔの解像度を有するモニタ表示手段３ａに葉書サイズ（１４８×１００ｍｍ）の原稿を表示する場合（但し、横１００ｍｍの原稿を１２８０ｄｏｔで表示する場合）に画像データの解像度は最大、具体的には、１２８０／１００ｄｐｍｍ＝１２．８ｄｐｍｍ＝３２５．１ｄｐｉとなる。このため、カラーレーザープリンタ３からクライアント端末１へデジタル画像データを送信する際には、この範囲内で解像度を決定するのが適当となる。即ち、この範囲内において解像度が決定される限りにおいては、最小限に必要な画質を得ることができるが、この範囲を超えることは、余剰な画像データのネットワーク転送が増えることになり、逆にこの範囲を下回ることは、画面上の視認が困難になることになる。
【００５２】
このようなことから、作業者は、解像度指定手段３ｂや解像度変更手段３ｄにより、保存手段３ｃに保存されるデジタル画像データの解像度を指定する際に、当該デジタル画像データの画像サイズと、クライアント端末１の表示手段１ｂの表示画面における解像度に応じて、保存手段３ｃに保存されたデジタル画像データの画像を構成する１画素（ｄｏｔ）をクライアント端末１の表示手段１ｂの表示画面における１画素（ｄｏｔ）に割り当てることで、上述した４６．４ｄｐｉから３２５．１ｄｐｉまでの範囲内において、クライアント端末１の表示手段１ｂの表示画面上における視認性を鑑みた必要最小限の解像度を指定することができる。
【００５３】
説明に戻って、このようにして、解像度変更手段３ｄにより保存手段３ｃに保存されたデジタル画像データの解像度が変更されると、通信手段３ｅは、これを受けて、この解像度が変更されたデジタル画像データをクライアント端末１に送信する（送信ステップ；Ｓ１５）。
【００５４】
一方、クライアント端末１においては、通信手段１ａがこれを受けて（Ｓ２０）、モニタ表示手段１ｂがこの受信したデジタル画像データに基づく画像を表示する（Ｓ２１）。
【００５５】
印刷会社の作業者は、このモニタ表示手段１ｂに表示された画像、即ち、「赤入れ」された印刷製版用原稿Ｃの画像を参照して、その修正指示に従って、画像編集作業を行う。
【００５６】
編集された画像データは、再度、制御装置２に送信される。以降、カラーレーザープリンタ３において出力されるカラーカンプの校正にて、印刷発注主やデザイナーにより問題がないことが確認されるまで、上述した工程が繰り返されることになる。
【００５７】
以上に説明したように、本実施形態における画像出力システム、画像出力装置、画像出力方法、プログラム及びそのプログラムを記憶した記憶媒体によれば、カラーレーザープリンタ３の通信手段３ｅにより「赤入れ」画像をネットワークＮを介して送信して、これを受けたクライアント端末１のモニタ表示手段１ｂにおいて、その「赤入れ」画像を表示することができるので、作業者は紙出力を伴うことなく、これを修正する編集作業を行うことができると共に、カラーレーザープリンタ３の解像度変更手段３ｄにより当該「赤入れ」画像の送信に際して、クライアント端末１のモニタ表示手段１ｂの表示画面上での視認性を鑑みた必要最小限の解像度にてこれを行うことができるので、転送量を低減して、最小限のネットワークコストに抑えることができる。
【００５８】
また、本実施形態における画像出力システム、画像出力装置、画像出力方法、プログラム及びそのプログラムを記憶した記憶媒体によれば、カラーレーザープリンタ３を印刷発注主やデザイン製作社の所在地に設置して、クライアント端末１を印刷会社に設置することで、従来、郵送により行われていた「赤入れ」原稿のやりとりをネットワークを介して行うことができるので、当該「赤入れ」原稿のやりとりに掛かるコストや時間を低減させることができる。
【００５９】
尚、以上に説明した本実施形態における画像出力システム、画像出力装置、画像出力方法、プログラム、及び、そのプログラムを記憶した記憶媒体は、本発明の好適な一実施形態を例示したものであり、その他の実施形態を除外するものではない。
【００６０】
例えば、本実施形態においては、カラーレーザープリンタ３の保存手段３ｃに保存されたデジタル画像データの解像度を、印刷発注主やデザイナーが、解像度変更手段３ｄにおいて４６．４ｄｐｉから３２５．１ｄｐｉまでの範囲内に収まるように指定することで変更される構成としたが、この他にも、例えば、図６に示すように、スキャナー手段３ａにより変換されたデジタル画像データを保存手段３ｃに保存する際に、自動的に当該デジタル画像データの解像度を４６．４ｄｐｉから３２５．１ｄｐｉまでの範囲内に変更する解像度変更手段３ｄ´を設けることにしても良い。尚、当該解像度変更手段３ｄ´は、保存手段３ｃに保存されたデジタル画像データの大きさ及びクライアント端末１のモニタ表示手段１ｂの解像度を取得する取得手段を備えているものとする。
【００６１】
この際、解像度変更手段３ｄ´は、保存手段３ｃに保存されるデジタル画像データの解像度を変更する際に、当該デジタル画像データの画像サイズと、クライアント端末１の表示手段１ｂの表示画面における解像度に応じて、保存手段３ｃに保存されたデジタル画像データの画像を構成する１画素（ｄｏｔ）をクライアント端末１の表示手段１ｂの表示画面における１画素（ｄｏｔ）に割り当てるように、その解像度を決定する。これにより、クライアント端末１の表示手段１ｂの表示画面上における視認性を鑑みた必要最小限の解像度が、４６．４ｄｐｉから３２５．１ｄｐｉまでの範囲内で決定されることになる。
【００６２】
尚、当該カラーレーザープリンタ３´が行う＜詳細動作＞は、以下の通りになる。因みに、以下においては、同様の構成要素に対しては同様の符号を付してある。
【００６３】
印刷発注主やデザイナーは、まず、図７に示すように、カラーレーザープリンタ３の解像度指定手段３ｂにおいて、スキャナー手段３ａにより「赤入れ」された印刷製版用原稿Ｃを読み取る際の解像度（以下、スキャン解像度と称する）を指定する。この際、解像度指定手段３ｂは、表示手段にこのスキャン解像度を指定するための指定画面を表示する（読取解像度指定画面表示ステップ）。印刷発注主やデザイナーは、当該指定画面において操作手段による操作によりスキャン解像度を指定する。これによりスキャン解像度が取得される（読取解像度指定ステップ；Ｓ１０´）。印刷発注主やデザイナーは、さらに、スキャナー手段３ａにより「赤入れ」された印刷製版用原稿Ｃを読み取る作業を行う（Ｓ１１´）。これにより、「赤入れ」された印刷製版用原稿Ｃがデジタル画像データに変換される（スキャナーステップ）。すると、解像度変更手段３ｄ´の取得手段は、保存手段３ｃに保存されたデジタル画像データの大きさを取得し、また、クライアント端末１のモニタ表示手段１ｂの解像度を取得して（取得ステップ）、これらの値に応じて、変換されたデジタル画像データの解像度を４６．４ｄｐｉから３２５．１ｄｐｉまでの範囲内で、且つ、クライアント端末１の表示手段１ｂの表示画面上における視認性を鑑みた必要最小限の解像度に変更する（解像度変更ステップ；Ｓ１２´）。この解像度が変更されたデジタル画像データは、保存手段３ｃに保存される（保存ステップ；Ｓ１３´）。尚、クライアント端末１のモニタ表示手段１ｂの解像度は、解像度変更手段３ｄ´の取得手段が、通信手段３ｅを介してクライアント端末１から取得することとしても良いし、また、予め当該解像度変更手段３ｄ´に設定されていることとしても良い。
【００６４】
このようにして、保存手段３ｃにデジタル画像データが保存されると、通信手段３ｅは、これを受けて、そのデジタル画像データをクライアント端末１に送信する（送信ステップ；Ｓ１４´）。
【００６５】
一方、クライアント端末１においては、通信手段１ａがこれを受けて（Ｓ２０´）、モニタ表示手段１ｂがこの受信したデジタル画像データに基づく画像を表示する（Ｓ２１´）。
【００６６】
印刷会社の作業者は、このモニタ表示手段１ｂに表示された画像、即ち、「赤入れ」された印刷製版用原稿Ｃの画像を参照して、その修正指示に従って、画像編集作業を行う。
【００６７】
編集された画像データは、再度、制御装置２に送信される。以降、カラーレーザープリンタ３において出力されるカラーカンプの校正にて、印刷発注主やデザイナーにより問題がないことが確認されるまで、上述した工程が繰り返されることになる。
【００６８】
［プログラム及びこれを記憶する記憶媒体］
尚、以上に説明した当該画像出力システムを構成するカラーレーザープリンタ３において行われる処理、具体的には、図４に示すフローチャートのＳ１０〜Ｓ１５を参照しながら説明した各ステップにおける処理を実行させるためのプログラムは、当該装置３に内蔵、若しくは、接続される記憶媒体に記憶されており、同じく当該装置３に内蔵される演算手段により、これが読み出されて実行されるものとする。同様に、以上に説明した画像出力システムを構成するカラーレーザープリンタ３´において行われる処理、具体的には、図７に示すフローチャートのＳ１０´〜Ｓ１４´を参照しながら説明した各ステップにおける処理を実行させるためのプログラムは、当該装置３´に内蔵、若しくは、接続される記憶媒体に記憶されており、同じく当該装置３´に内蔵される演算手段により、これが読み出されて実行されるものとする。
【００６９】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【図面の簡単な説明】
【００７０】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示すカラーレーザープリンタ及びクライアント端末の詳細構成を表す機能ブロック図である。
【図４】図３に示すカラーレーザープリンタとクライアント端末間において行われる印刷製版工程の一連の流れを表すフローチャートである。
【図５】図３に示すカラーレーザープリンタにおいてデジタル画像データの解像度が所定の範囲内に決定される根拠を説明するための説明図である。
【図６】図３に示すカラーレーザープリンタの他の実施形態における詳細構成を表す機能ブロック図である。
【図７】図６に示すカラーレーザープリンタとクライアント端末間において行われる印刷製版工程の一連の流れを表すフローチャートである。
【符号の説明】
【００７１】
１  クライアント端末
１ａ  モニタ表示手段
１ｂ  通信手段
２  制御装置
３、３´  カラーレーザープリンタ
３ａ  スキャナー手段
３ｂ  解像度指定手段
３ｃ  保存手段
３ｄ、３ｄ´  解像度変更手段
３ｅ  通信手段
４  ＣＴＰ用ＲＩＰ
５  ＤＣＰ制御装置
６  ＣＴＰ
７  ＤＣＰ作成装置
Ｃ  印刷製版用原稿
【図１】
2005079771.tif 000003
【図２】
2005079771.tif 000004
【図３】
2005079771.tif 000005
【図４】
2005079771.tif 000006
【図５】
2005079771.tif 000007
【図６】
2005079771.tif 000008
【図７】
2005079771.tif 000009